(57)【特許請求の範囲】
【請求項１】
吸気口、温風吹出口及び排気口をもつハウジングと、該ハウジングに設けられたモータ、ファン、加熱手段及び脱臭手段とを備え、該モータにより該ファンを回転駆動することにより、該加熱手段により空気を加熱してなる温風を該温風吹出口より使用者の局部に向かって吹出可能であり、かつ該吸気口から便鉢内の臭気を吸気し、該臭気を脱臭手段により脱臭して該排気口から排気可能な便器用温風脱臭装置において、
前記ハウジングは、前記吸気口と前記温風吹出口とを前記ファン及び前記加熱手段を介して連通する温風用流路と、該吸気口と前記排気口とを該ファン及び前記脱臭手段を介して連通する脱臭用流路とを有し、
該モータの正転回転数により、該吸気口の該温風用流路への連通と該脱臭用流路への連通とを切り替える単一のダンパと、
該正転回転数を変更可能な制御手段とを備えることを特徴とする便器用温風脱臭装置。
【請求項２】
ダンパが吸気口と温風用流路とを連通させている間、該吸気口は脱臭用流路とも連通していることを特徴とする請求項１記載の便器用温風脱臭装置。
【請求項３】
ダンパは、ファンによる風量が少なければ吸気口を脱臭用流路へ連通させ、該ファンによる該風量が多ければ該吸気口を温風用流路及び該脱臭用流路へ連通させるものであることを特徴とする請求項１又は２記載の便器用温風脱臭装置。
【請求項４】
制御手段は、少なくとも使用者が便器を使用中、モータを正転させることを特徴とする請求項１、２又は３記載の便器用温風脱臭装置。
【発明の詳細な説明】
【０００１】
【発明の属する技術分野】
本発明は局部洗浄装置に設けられる便器用温風脱臭装置に関する。
【０００２】
【従来の技術】
従来、水洗式便器に設けられる局部洗浄装置の一装置として、使用者の局部の乾燥及び便鉢内の脱臭を行うための便器用温風脱臭装置が知られている。この便器用温風脱臭装置は、吸気口、温風吹出口及び排気口をもつハウジングと、ハウジングに設けられたモータ、ファン、加熱手段及び脱臭手段とを備えている。ハウジングは、吸気口と温風吹出口とをファン及び加熱手段を介して連通する温風用流路と、吸気口と排気口とをファン及び脱臭手段を介して連通する脱臭用流路とを有している。
【０００３】
この便器用温風脱臭装置では、加熱手段により空気を加熱し、モータによりファンを回転駆動することにより、温風を温風吹出口より使用者の局部に向かって吹出すことができる。また、モータによりファンを回転駆動することにより、吸気口から便鉢内の臭気を吸気し、この臭気を脱臭手段により脱臭して排気口から排気することもできる。
【０００４】
このような便器用温風脱臭装置として、特開平７−６２７０４号公報記載のものが知られている。この便器用温風脱臭装置では、モータが正逆両方向に回転可能とされており、排気口及び温風吹出口にはそれぞれダンパが設けられている。そして、モータの回転方向とダンパの切り替えとにより、温風用流路を通って温風吹出口へ温風の送風を行なうか、脱臭用流路を経て排気口に排気を行なうかの選択が可能とされている。このため、この便器用温風脱臭装置では、温風の吹出と脱臭とを共通する一つのモータと一つのファンとで行うことができ、温風を吹出すためのモータ及びファンと脱臭を行うためのモータ及びファンとを個別に必要としないため、部品点数を減らすことができ、低コスト及び省スペース化を図ることができる。
【０００５】
【発明が解決しようとする課題】
しかし、上記従来の便器用温風脱臭装置では、ハウジング内に温風用流路と脱臭用流路とが並列に構成されており、二つのダンパが切り替わることによって、温風用流路又は脱臭用流路のどちらか一方が遮断されることで温風又は臭気の流れが切り替えられている。こうであれば、温風用流路及び脱臭用流路が共に狭くなってしまうことから、温風用流路及び脱臭用流路のそれぞれの流路抵抗が大きくなってしまい、温風又は臭気の流量が少なくなってしまう。このため、使用者の局部を乾燥させるのに十分な量の温風が確保され難かったり、便鉢内に貯留される臭気が十分に脱臭され難いこととなってしまう。
【０００６】
また、この便器用温風脱臭装置では、二つのダンパを採用していることから、部品点数が未だ多く、低コスト及び省スペース化の点で未だ満足し得ない。
【０００７】
本発明は、上記実情に鑑みてなされたものであり、使用者の局部を乾燥させるのに十分な量の温風を確保可能であるとともに、便鉢内に貯留する臭気を十分に脱臭可能であり、かつ低コスト及び省スペース化の効果の大きな便器用温風脱臭装置を提供することを解決すべき課題としている。
【０００８】
【課題を解決するための手段】
本発明の便器用温風脱臭装置は、吸気口、温風吹出口及び排気口をもつハウジングと、該ハウジングに設けられたモータ、ファン、加熱手段及び脱臭手段とを備え、該モータにより該ファンを回転駆動することにより、該加熱手段により空気を加熱してなる温風を該温風吹出口より使用者の局部に向かって吹出可能であり、かつ該吸気口から便鉢内の臭気を吸気し、該臭気を脱臭手段により脱臭して該排気口から排気可能な便器用温風脱臭装置において、
前記ハウジングは、前記吸気口と前記温風吹出口とを前記ファン及び前記加熱手段を介して連通する温風用流路と、該吸気口と前記排気口とを該ファン及び前記脱臭手段を介して連通する脱臭用流路とを有し、
該モータの正転回転数により、該吸気口の該温風用流路への連通と該脱臭用流路への連通とを切り替える単一のダンパと、
該正転回転数を変更可能な制御手段とを備えることを特徴とする。
【０００９】
本発明の便器用温風脱臭装置では、モータの正転回転数により、吸気口が温風用流路に連通するか、吸気口が脱臭用流路に連通するかを単一のダンパが切り替える。こうして、ハウジング内に温風用流路と脱臭用流路とが連通する一つの流路で構成され得る。このため、温風用流路及び脱臭用流路が共に狭くならず、温風用流路及び脱臭用流路のそれぞれの流路抵抗が大きくならず、温風又は臭気の流量が大きくなる。このため、使用者の局部を乾燥させるのに十分な量の温風が確保され、便鉢内に貯留される臭気が十分に脱臭されることとなる。
【００１０】
また、この便器用温風脱臭装置では、単一のダンパを採用していることから、部品点数を減らすことができ、低コスト及び省スペース化が実現できる。
【００１１】
したがって、本発明の便器用温風脱臭装置では、使用者の局部を乾燥させるのに十分な量の温風を確保可能であるとともに、便鉢内に貯留する臭気を十分に脱臭可能であり、かつ低コスト及び省スペース化を一層発揮することができる。
【００１２】
本発明の便器用温風脱臭装置では、ダンパが吸気口と温風用流路とを連通させている間、その吸気口は脱臭用流路とも連通していることができる。こうであれば、吸気口から吸入された空気が温風用流路と脱臭用流路との両方に流れることとなる。このため、使用者の局部の乾燥と臭気の脱臭とを同時に行うことができる。
【００１３】
本発明の便器用温風脱臭装置では、ダンパは、ファンによる風量が少なければ吸気口を脱臭用流路へ連通させ、そのファンによる風量が多ければその吸気口を温風用流路及び脱臭用流路へ連通させるものであることができる。こうして、ファンによる風量によって自動的に開閉されるダンパは、単にハウジングに揺動可能に係止されておれば足り、製造コストの低廉化を実現できる。
【００１４】
本発明の便器用温風脱臭装置では、制御手段は、少なくとも使用者が便器を使用中、モータを正転させることが好ましい。こうであれば、使用者の使用中には絶えず便鉢内が脱臭され続けることとなるため、その使用者は臭気を嗅ぐことによる不快な思いを確実に回避できる。
【００１５】
【発明の実施の形態】
以下、本発明の便器用温風脱臭装置を洋風水洗式便器に具体化した実施形態を図面を参照しつつ説明する。
【００１６】
図１に示すように、トイレ室内に施工された洋風水洗式便器１０は、陶磁器製の洋風便器本体１２と、この洋風便器本体１２上に設けられた洗浄装置１８とからなる。洗浄装置１８は、洋風便器本体１２上で揺動可能な便座１４と、この便座１４上で揺動可能な便蓋１６とを有している。また、洗浄装置１８には、人体検知センサ１８ａと着座検知センサ１８ｂとが設けられているとともに、図２に示すように、洋風便器本体１２上に図示しないベースプレートを介して固定された便器用温風脱臭装置２０が設けられている。
【００１７】
この便器用温風脱臭装置２０は、図３に示すように、平面視でＬ字形のハウジング２１を備えている。このハウジング２１の両端はベースプレートとの間に排気口２２及び温風吹出口２６を形成しており、ハウジング２１のＬ字状に屈曲する部分はベースプレートとの間に吸気口２３を形成している。そのハウジング２１内では、吸気口２３と温風吹出口２６とを連通する温風用流路２８と、吸気口２３と排気口２２とを連通する脱臭用流路２４とが形成されている。
【００１８】
ハウジング２１の外側には温風用流路２８と脱臭用流路２４との境界部分にモータＭが設けられており、そのモータＭには、図４及び図５に示すように、モータＭの正転回転数を制御可能な制御手段としての制御装置Ｃが接続されている。この制御装置Ｃは、図１に示す人体感知センサ１８ａ及び着座感知センサ１８ｂとも接続されている。また、図３〜５に示すように、ハウジング２１内には温風用流路２８と脱臭用流路２４との境界部分にファン２５が設けられており、このファン２５は、モータＭのモータ軸Ｏに軸支される円板２５ａと、その円板２５ａの周縁に各々一端が固定された複数枚のフィン２５ｂとによって構成されている。吸気口２３はこのファン２５の各フィン２５ｂ内に開口している。
【００１９】
ハウジング２１内にはファン２５の温風吹出口２６側に板状のダンパ２７が設けられており、このダンパ２７は上端に設けた枢軸によって自重で揺動できるようになっている。また、ハウジング２１内にはダンパ２７の温風吹出口２６側に加熱手段としてのヒータ２９が設けられている。ヒータ２９は図示しない電源に接続されている。このため、温風用流路２８は、吸気口２３からファン２５、ダンパ２７及びヒータ２９を介して温風吹出口２８へ連通されている。
【００２０】
また、ハウジング２１内にはファン２５の排気口２２側に脱臭手段としての脱臭フィルタＦが設けられている。このため、脱臭用流路２４は、吸気口２３からファン２５及び脱臭フィルタＦを介して排気口２２へ連通している。
【００２１】
便器用温風脱臭装置２０は、図２に示すように、洋風便器本体１２の便鉢１２ａ内に温風吹出口２６を配置し、洗浄装置１８の側面に排気口２２を配置している。
【００２２】
以上のように構成された便器用温風脱臭装置２０は、制御装置Ｃが図６に示すフローチャートに基づいて制御を行なう。まず、ステップＳ１において、人体検知センサ１８ａが洋風水洗式便器１０の直前の使用者を検知すれば、ステップＳ２に進み、第１脱臭モードを実行する。一方、ステップＳ１において、人体検知センサ１８ａが洋風水洗式便器１０の直前の使用者を検知しなければ、終了する。
【００２３】
ステップＳ２の第１脱臭モードでは、便鉢１２ａ内に残留する臭気の脱臭が行われる。すなわち、図７に示すように、制御装置ＣによってモータＭの正転回転数がＧ２値まで増加し、ファン２５がその回転数で正転回転する。この際、ファン２５の正転回転数が少ないため、ダンパ２７に当たる風量が少なく、ダンパ２７は揺動しない。このため、図４に示すように、ダンパ２７は吸気口２３を脱臭用流路２４のみへ連通させる。このため、吸気口２３から吸入された便鉢１２ａ内の臭気は、脱臭フィルタＦによって脱臭されて排気口２２から排気される。
【００２４】
次に、図６に示すステップＳ３において、着座センサ１８ｂが使用者の着座を検知すれば、ステップＳ４に進み、第１脱臭モードを終了し、第２脱臭モードを実行する。一方、ステップＳ３において、着座センサ１８ｂが使用者の着座を検知しなければ、終了する。
【００２５】
ステップＳ４の第２脱臭モードでは、便鉢１２ａ内に排出された使用者の汚物の臭気の脱臭が行われる。すなわち、図７に示すように、制御装置ＣによってモータＭの正転回転数がＧ１（＜Ｇ２）値まで減少し、ファン２５がその回転数で正転回転する。この際も、ファン２５の正転回転数が少ないため、ダンパ２７に当たる風量が少なく、ダンパ２７は揺動しない。このため、図４に示すように、ダンパ２７は吸気口２３を脱臭用流路２４のみへ連通させる。そして、吸気口２３から吸入された使用者の汚物の臭気は、脱臭フィルタＦによってほぼ完全に脱臭されて排気口２２から排気される。
【００２６】
そして、使用者が排便後、図示しないリモコンを操作し、自らの局部の洗浄を行った後、図６に示すステップＳ５において、温風送風操作が行われれば、ステップＳ６に進み、第２脱臭モードを終了し、温風送風モード及び第３脱臭モードを実行する。
【００２７】
ステップＳ６の温風送風モード及び第３脱臭モードでは、図２に示す便座１４に着座した使用者の局部に温風を送風して、その局部の乾燥を行う。すなわち、図７に示すように、制御装置ＣによってモータＭの正転回転数がＧ３（＞Ｇ２＞Ｇ１）値まで増加し、ファン２５がその回転数で正転回転することとなる。この際、ファン２５による風量が大幅に増大するため、図５に示すように、ダンパ２７が揺動することとなる。このため、そのダンパ２７は、吸気口２３を温風用流路２８へ連通させるとともに、吸気口２３を脱臭用流路２４へ連通させる。このため、吸気口２３から吸入された空気は、ヒータ２９によって温められて温風排出口２６から排出される。また、便鉢１２ａ内に残留する僅かな臭気は、吸気口２３から吸入され、脱臭フィルタＦによって脱臭されて排気口２２から排気される。なお、温風排出口２６から排出される空気も便鉢１２ａ内に残留する臭気を含むが、その空気は便座１４上に着座している使用者によって便鉢１２ａ内に止まり、いずれは脱臭フィルタＦによって脱臭されて排気口２２から排気される。こうして、使用者の局部の乾燥と臭気の脱臭とを同時に行うことができる。
【００２８】
この間、ダンパ２７は単一のものであり、単にハウジング２１に揺動可能に係止されているものであることから、便器用温風脱臭装置２０は少ない部品点数となっており、低コスト及び省スペース化を実現している。また、ダンパ２７が切り換えられることにより、温風用流路２８と脱臭用流路２４とが連通する一つの流路となるため、温風用流路２８及び脱臭用流路２４が共に狭くならず、温風用流路２８及び脱臭用流路２４のそれぞれの流路抵抗が大きくならず、温風又は臭気の流量が大きくなる。このため、使用者の局部の乾燥と臭気の脱臭とをともに十分に行うことができる。
【００２９】
そして、図６に示すように、ステップＳ６の温風送風モード及び第３脱臭モードが終了すれば、ステップＳ７に進み、第２脱臭モードを実行する。
【００３０】
ステップＳ７の第２脱臭モードでは、図２に示す便鉢１２ａ内に残留する臭気のさらなる脱臭が行われる。すなわち、図７に示すように、制御装置ＣによってモータＭの正転回転数がＧ１値まで減少し、ファン２５がその回転数で正転回転することとなる。この際、ファン２５の正転回転数が少ないため、ダンパ２７に当たる風量が少なく、ダンパ２７は自重によって元の位置に戻る。このため、図４に示すように、ダンパ２７は吸気口２３を脱臭用流路２４へのみ連通させる。そして、吸気口２３から吸入された便鉢１２ａ内の臭気は、脱臭フィルタＦによって脱臭されて排気口２２から排気される。
【００３１】
次に、図６に示すように、ステップＳ８において、着座センサ１８ｂが使用者の脱座を検知すれば、ステップＳ９に進み、第２脱臭モードを終了し、第１脱臭モードを実行する。
【００３２】
ステップＳ９の第１脱臭モードでは、図１に示す便座１４から使用者が立ち上がった時の臭気の脱臭が行われる。すなわち、図７に示すように、制御装置ＣによってモータＭの正転回転数がＧ２値まで増加し、ファン２５がその回転数で正転回転する。この際、ファン２５の正転回転数が少し増加するだけであるため、ダンパ２７は摺動しない。このため、図４に示すように、ダンパ２７は吸気口２３を脱臭用流路２４へのみ連通させる。そして、吸気口２３から吸入された便鉢１２ａ内の臭気は、脱臭フィルタＦによって脱臭されて排気口２２から排気される。
【００３３】
次に、図６に示すように、ステップＳ１０において、人体検知センサ１８ａが洋風水洗式便器１０の直前の使用者を検知しなければ、便器用温風脱臭装置２０の作動は終了する。
【００３４】
このようにして、使用者がトイレ室を使用中の際には、絶えず便鉢１２ａ内が脱臭され続けることとなるため、その使用者は臭気を嗅ぐことによる不快な思いを回避することができる。
【００３５】
なお、実施形態の便器用温風脱臭装置２０は上記記載のものに限定されるものではない。例えば、洗浄装置１８が人体検知センサー１８ａを有さないものであってもよい。こうであれば、図６に示すフローチャートのステップＳ３から実施形態の便器用温風脱臭装置２０の作動が始まることとなる。
【００３６】
つまり、ステップＳ３において、着座センサ１８ｂが使用者の着座を検知すれば、ステップＳ４に進み、第２脱臭モードを実行する。この際、図７に示すタイミングチャートでは、制御装置ＣによってモータＭの正転回転数がＧ１値まで増加する。
【００３７】
そして、使用者が排便後、図示しないリモコンを操作し、自らの局部の洗浄を行った後、図６に示すように、上記記載のステップＳ５からステップＳ７までが実行され、ステップＳ８において、着座センサ１８ｂが使用者の脱座を検知すれば、ステップＳ９に進み、第２脱臭モードを終了し、第１脱臭モードを実行する。
【００３８】
一定時間、第１脱臭モードが行われた後、便器用温風脱臭装置２０の作動は終了する。他の作用効果は上記記載の実施形態と同様である。
【図面の簡単な説明】
【図１】実施形態の便器用温風脱臭装置を備えた洋風水洗式便器の左側面図である。
【図２】実施形態の便器用温風脱臭装置を備えた洋風水洗式便器の右側面図である。
【図３】実施形態の便器用温風脱臭装置の斜視図である。
【図４】実施形態の便器用温風脱臭装置の断面図である。
【図５】実施形態の便器用温風脱臭装置の断面図である。
【図６】実施形態の便器用温風脱臭装置における制御装置のフローチャートである。
【図７】実施形態の便器用温風脱臭装置に係り、時間とモータの正転回転数（風量）との関係を示すタイミングチャートである。
【符号の説明】
２３…吸気口
２６…温風吹出口
２２…排気口
２１…ハウジング
Ｍ…モータ
２５…ファン
２９…加熱手段（ヒータ）
Ｆ…脱臭手段（脱臭フィルタ）
１２ａ…便鉢
２８…温風用流路
２４…脱臭用流路
２７…ダンパ
Ｃ…制御手段（制御装置）
【図１】
0003741980.tif 000002
【図２】
0003741980.tif 000003
【図３】
0003741980.tif 000004
【図４】
0003741980.tif 000005
【図５】
0003741980.tif 000006
【図６】
0003741980.tif 000007
【図７】
0003741980.tif 000008